(57)【要約】      （修正有）【課題】ホロスコープチャート作成を必要とせずに西洋占星術を駆使して占うこと及び西洋占星術の基礎知識の習得を可能とするカードのセットを提供する。【解決手段】カード本体１に西洋占星術で使用されるシンボル２，その名称４，その日本語４ａ、その意味を象徴するキーワード４ｂ、その意味を象徴する写真画像３を表記掲載し、西洋占星術で使用するホロスコープチャートの構成要素をそれぞれカード本体に表わすことで各構成要素を自由に組み合わせることを可能にし、ホロスコープチャートが作成できない条件下でも西洋占星術による占いを詳細に行なうこと、また難解と言われる西洋占星術を習得することを容易にすること及び西洋占星術の更なる普及、発展に役立つ。【選択図】図１
0003214165.tif 000002
【実用新案登録請求の範囲】
【請求項１】
西洋占星術で使用されるホロスコープチャートシステムを構成する「天体」、「サイン」、「ハウス」、「アスペクト」を導入し、西洋占星術で使用されるそれぞれのシンボルと、各々の構成要素の性質を使用者にひと目で喚起させるようなイメージ画像を、一枚一枚のカードに割り当てることによって、西洋占星術の難解さを緩和させる特徴を持った、占い行為または占いを教える教材としての使用を目的としたカードのセット及びその解説書。
【考案の詳細な説明】
【技術分野】
【０００１】  本考案は、ホロスコープチャートを構成する「天体」、「サイン」、「ハウス」、「アスペクト」を、写真画像を使うことで視覚化し、西洋占星術の世界観を分かりやすく表現するカードのセットと、その解説書に関するものである。
【背景技術】
【０００２】  ホロスコープチャートを使って占い鑑定を行なう際や西洋占星術を教える際に、専門的な用語やシンボルを解読し、言葉で説明していた。また、ホロスコープチャートを作成するのには、熟練した技術と高度な知識と能力、もしくはパソコンと専門ソフト及び操作に要する専門的な知識と労力、財力が必要だった。
【考案の概要】
【考案が解決しようとする課題】
【０００３】  ホロスコープチャートを作成して実際に占いを行えるようになるまでには、煩雑で難解な高度に専門的な知識を要する。そのことにより西洋占星術の知識を持たない人や初心者の人が、西洋占星術の持つ真の不思議さ、面白さ、有効さを知り、体験することが阻まれていた。ホロスコープチャートには「人が生きることの意味や目的」が描かれているのに、専門的な知識を持たないがためにそれを知り得ないことは、人生の大きな損失である。また、実際に専門知識を習得しようとすれば、長い時間と高額な出費が必要となり、更に身に付けた知識を使って実際に事象を占えるようになるまでには、多くの経験を必要とされる。これらが弊害となり、多くの人々にとって人類が長い歴史の中で構築、蓄積してきた珠玉の叡智としての西洋占星術の世界観に触れる機会が狭まれていたことは、人々の健全な発展の可能性を阻害してきたものと考える。従って、人類にとっての知的財産である西洋占星術を嗜むのに必要とされる、専門的で分かりにくい知識を多大な時間と高額な費用をかけて身に付けなくてはならないという難点を、写真画像という視覚的効果と誰でも簡単に即座に使用できるカードという媒体と、カードの解説書を用いることによって解決しようとするものである。
【課題を解決するための手段】
【０００４】  本考案は、１枚のカードに対して１つ、西洋占星術に使用されるシンボルと名称、及びそのシンボルの意味することを短く表現したキーワード等を記載し、且つ、シンボルの意味を視覚的にイメージできる写真画像を掲載している。またそれぞれのカードを解説した文章とカードの使い方を解説した文章を解説書として編集することで、カードを使用しながら同時に西洋占星術の知識やスキルを身につけることを可能としたことにより、問題点を解決している。
【考案の効果】
【０００５】  従来の西洋占星術の在り方では、まず時間をかけて専門知識を勉強し、占いに必要とされる感性は更にその後に多くの経験を通して磨き、体得していく必要があった。本考案は西洋占星術に必要な専門的な知識と、占いに必要な感性や直感、スキルを同時に習得することを補助し、且つホロスコープチャートを作成できない条件下でも西洋占星術の詳細な情報を用いた占いを可能とし、西洋占星術の知識とそれを活用するスキルを簡易に、広く一般的に普及させるのに役立つ。
【図面の簡単な説明】
【０００６】
【図１】本考案のホロスコープカードの一実施例を示す正面図である。
【図２】本カードの一実施例を示す展開図である。
【考案を実施するための形態】
【０００７】  カード状のものに、西洋占星術で使用される「天体」、「サイン」、「ハウス」、「アスペクト」のそれぞれのシンボルを、１枚にひとつずつ割り当てる。そのシンボルの持つテーマ性に沿った写真画像と、意味を解説するキーワードを、シンボルと一緒に印刷する。カードを強化するために、耐久性のある素材にて表面にコーティング加工を施す。これら全てのカードを揃えたものを、一組のセットとする。また、それぞれのカードに割り当てたシンボルや写真画像を解説した解説書も用意し、西洋占星術の専門用語であるシンボル等の意味、カードの使い方等を指南する。
【実施例】
【０００８】  以下、添付図面に従って一実施例を説明する。１はカード本体、２は西洋占星術にて使用されるシンボル、３は２のシンボルを視覚化した写真画像、４は２のシンボルの名称、４ａは４の名称の日本語の表記、４ｂは２のシンボルが象徴する意味のキーワードである。【０００９】  １ａは「ハウス」のカード、１ｂは「サイン」のカード、１ｃは「天体」のカード、１ｄは「アスペクト」のカードである。このように、西洋占星術で使用されるホロスコープチャートを構成する４つの重要要素を、占い内容に合わせてそれぞれ引き、カードを展開する。【００１０】  本考案の一実施例は上記のような構成であるので、ホロスコープチャートを作成するための専門的な知識を持たなくても、占う事象のある側面を簡単に理解することが可能となる。また、カードという組み合わせの自由が効く媒体の特性を活かして、使用する人が自由に様々な展開方法を繰り広げることで、より的確に占う事象に対する象徴カードを引き出すことが期待できる等、西洋占星術に新しい捉え方、楽しみ方をもたらすことが可能と考える。
【符合の説明】
【００１１】１    カード本体
２    西洋占星術に使用されるシンボル
３    シンボルの意味を象徴する写真画像
４    シンボルの名称
４ａ  シンボルの名称の日本語表記
４ｂ  シンボルの意味を象徴するキーワード
１ａ  「ハウス」のカード
１ｂ  「サイン」のカード
１ｃ  「天体」のカード
１ｄ  「アスペクト」のカード
【図１】
0003214165.tif 000003
【図２】
0003214165.tif 000004
【手続補正書】
【提出日】平成29年10月5日(2017.10.5)
【手続補正１】
【補正対象書類名】実用新案登録請求の範囲
【補正対象項目名】全文
【補正方法】変更
【補正の内容】
【実用新案登録請求の範囲】
【請求項１】
西洋占星術で使用されるホロスコープチャートシステムを構成する「天体」、「サイン」、「ハウス」、「アスペクト」を導入し、西洋占星術で使用されるそれぞれのシンボルと、各々の構成要素の性質を使用者にひと目で喚起させるようなイメージ画像について、一枚一枚のカードの中央部にイメージ画像を配置し、かつそのイメージ画像の上部にシンボルを、株にシンボルの名称、名称の日本語表記、シンボルの意味を象徴するキーワードをそれぞれ配置することによって、西洋占星術の難解さを緩和させる特徴を持った、占い行為または占いを学ぶ教材を目的としたカードのセット。